(57)【要約】【課題】不正な再使用をより確実に防止することができるバンド型電子タグを提供すること。【解決手段】バンド部１０１の両端の結合部１０２ａ、１０２ｂが結合されたときに、導電部１０３によって、１０２ａ、１０２ｂを介してバンド部１０１の長手方向に沿って延在する通電可能な回路を形成する。メモリ部１０５は、導電部１０３によって形成される回路の電気的な変化に関する情報を外部から読み取り可能に記憶する。【選択図】図１
2019095906.tif 000002
【特許請求の範囲】
【請求項１】
両端部が結合されることにより環状となるバンド部と、
前記バンド部の前記両端部が結合されたときに、前記両端部を介して前記バンド部の長手方向に沿って延在する通電可能な回路を形成する導電部と、
前記回路の電気な特性の変化に関する情報を外部から読み取り可能に記憶するメモリ部と、
を備えることを特徴とするバンド型電子タグ。
【請求項２】
前記メモリ部が記憶する情報は、前記回路が通電可能に形成された状態から通電不可能に遮断された状態に変化したことを示す情報を含むことを特徴とする請求項１に記載のバンド型電子タグ。
【請求項３】
前記メモリ部が記憶する情報は、前記回路が通電可能に形成された状態から通電不可能に遮断された状態に変化したときに前記バンド型電子タグが無効であることを示す情報を含むことを特徴とする請求項１または２に記載のバンド型電子タグ。
【請求項４】
前記導電部は、前記バンド部の前記両端部の一方側および他方側に位置して前記両端部が結合されたときに電気的に接続される第１および第２の接続部を含むことを特徴とする請求項１から３のいずれか１項に記載のバンド型電子タグ。
【請求項５】
前記メモリ部の記憶情報を外部に無線で送信可能な送信部をさらに備えることを特徴とする請求項１から４のいずれか１項に記載のバンド型電子タグ。
【請求項６】
前記回路が通電可能な状態のときに発光可能な発光素子をさらに備えることを特徴とする請求項１から５のいずれか１項に記載のバンド型電子タグ。
【請求項７】
前記導電部の少なくとも一部は、前記バンド部に付与された導電性インクにより形成されることを特徴とする請求項１から６のいずれか１項に記載のバンド型電子タグ。
【請求項８】
前記バンド部は、前記両端部が結合されて環状となることにより、前記バンド型電子タグの装着対象物の周囲に装着され、
前記バンド型電子タグは、前記バンド部と前記装着対象物との接触を検出する接触センサ部を備え、
前記メモリ部は、前記接触センサ部の検出結果を外部から読み出し可能に記憶する
ことを特徴とする請求項１から７のいずれか１項に記載のバンド型電子タグ。
【請求項９】
前記接触センサ部は、前記バンド部の長手方向にずれた位置に複数備わることを特徴とする請求項８に記載のバンド型電子タグ。
【請求項１０】
前記メモリ部が記憶する情報は、前記複数の接触センサ部の全てが前記バンド部と前記装着対象物との接触を検出したときに前記バンド型電子タグが有効であることを示す情報を含むことを特徴とする請求項９に記載のバンド型電子タグ。
【請求項１１】
前記メモリ部が記憶する情報は、前記バンド型電子タグの識別情報を含むことを特徴とする請求項１から１０のいずれか１項に記載のバンド型電子タグ。
【請求項１２】
請求項１から１１のいずれか１項に記載のバンド型電子タグにおける前記導電部を記録するためのバンド型電子タグ用の記録装置であって、
前記メモリ部に記憶された前記バンド型電子タグの識別情報を読み取る読み取り手段と、
前記バンド部に導電性インクを付与することにより、前記導電部の少なくとも一部を形成する第１の記録手段と、
前記バンド部にインクを付与することにより、前記読み取り手段によって読み取られた前記識別情報に対応する情報を記録する第２の記録手段と、
を備えることを特徴とするバンド型電子タグ用の記録装置。
【請求項１３】
前記第１の記録手段は、前記バンド部に導電性インクを付与することにより、前記読み取り手段によって読み取られた前記識別情報に対応する電気回路を形成することを特徴とする請求項１２に記載のバンド型電子タグ用の記録装置。
【請求項１４】
請求項１から１１のいずれか１項に記載のバンド型電子タグを用いる管理システムであって、
前記メモリ部に記憶された情報を読み出す読み出し手段と、
前記読み出し手段によって読み出された前記情報に基づいて、前記バンド型電子タグが有効であるか否かを判定する判定手段と、
を備えることを特徴とする管理システム。
【発明の詳細な説明】
【技術分野】
【０００１】
本発明は、バンド型電子タグと、それに関連する記録装置および管理システムに関するものであり、バンド型電子タグは、リストバンド型のＲＦＩＤ（Ｒａｄｉｏ  Ｆｒｅｑｕｅｎｃｙ  Ｉｄｅｎｔｉｆｉｃａｔｉｏｎ）タグである。
【背景技術】
【０００２】
外部機器との間において、非接触で情報の授受を行う電子タグ（ＲＦＩＤタグ）は、交通、物流、決済、セキュリティなど幅広い分野で利用されている。さらに、リストバンド型の電子タグは、イベント、コンサート、アミューズメント施設などの入場チケットとして利用されており、その電子タグをユーザの手首に装着させることによって、ユーザの入退場を簡単かつ効率的に管理することができる。その場合、その電子タグが別のユーザに譲渡されること、および、その電子タグがユーザの手首からいったん取り外された後に再使用されること、を防止する取り組みがなされている。
【０００３】
特許文献１に記載のリストバンド型の電子タグにおいては、そのバンド部分に、導電性材料によってコイル状のアンテナが印刷され、そのアンテナに非接触ＩＣチップが装着されている。この電子タグをユーザの手首に装着する際には、バンドの一端部に塗着した粘着剤部をバンドの他端部に重ね合わせて圧着固定する。このような電子タグがユーザの手首から取り外された場合に、粘着剤部に対応する部分のアンテナまたはＩＣチップの装着部が破損して非接触の通信機能が失われることにより、電子タグの不正な再使用が防止される。また、特許文献２に記載のリストバンド型の電子タグは、腕等の対象物に装着可能なバンド部に予め切れ目を形成し、その切れ目からバンド部が切断された際に、動作不能となるように構成されている。
【先行技術文献】
【特許文献】
【０００４】
【特許文献１】特開２００５−４３９７８号公報
【特許文献２】特開２００２−６３５５９号公報
【発明の概要】
【発明が解決しようとする課題】
【０００５】
しかし、特許文献１に記載の電子タグは、粘着剤部等の特定の箇所を避けてバンドが切り離された場合には非接触の通信機能が失われないため、不正な再使用が防止できない。また、特許文献２に記載の電子タグは、切り込みを避けてバンドが切り離された場合に動作不能にならず、その不正な再使用が防止できない。
【０００６】
本発明の目的は、不正な再使用をより確実に防止することができるバンド型電子タグ、バンド型電子タグ用の記録装置、および管理システムを提供することにある。
【課題を解決するための手段】
【０００７】
本発明のバンド型電子タグは、両端部が結合されることにより環状となるバンド部と、前記バンド部の前記両端部が結合されたときに、前記両端部を介して前記バンド部の長手方向に沿って延在する通電可能な回路を形成する導電部と、前記回路の電気的な特性の変化に関する情報を外部から読み取り可能に記憶するメモリ部と、を備えることを特徴とする。
【発明の効果】
【０００８】
本発明によれば、バンド部の長手方向に沿って延在する通電可能な回路を用いることにより、一旦、装着されたバンド型電子タグが取り外されたことを確実に検知して、不正な再使用を防止することができる。
【図面の簡単な説明】
【０００９】
【図１】本発明の第１の実施形態におけるバンド型電子タグの説明図である。
【図２】図１のペン型電子タグの動作を説明するためのフローチャートである。
【図３】図１のバンド型電子タグを用いる入退場の管理システムの説明図である。
【図４】本発明の第２の実施形態におけるバンド型電子タグの説明図である。
【図５】本発明の第３の実施形態におけるバンド型電子タグの説明図である。
【図６】本発明の第４の実施形態におけるバンド型電子タグ用の記録装置の制御系のブロック図である。
【図７】図６の記録装置の動作を説明するためのフローチャートである。
【図８】本発明の第５の実施形態におけるバンド型電子タグの説明図である。
【発明を実施するための形態】
【００１０】
以下、図面を参照しつつ、本発明の実施形態について説明する。
【００１１】
（第１の実施形態）
図１（ａ）は、本実施形態におけるバンド型電子タグ１００の概略構成の説明図である。
【００１２】
バンド型電子タグ１００は、そのバンド部１０１がユーザの手首（装着対象物）の周囲に巻き付けられることにより、そのユーザの手首に装着される。このバンド部１０１は、例えば、布、紙、ゴム、化学繊維、プラスチック・シート、または、その他の素材により形成、あるいは、これらの素材の組み合わせにより形成することができる。バンド部１０１の長手方向の両端部に設けられている結合部１０２ａ、１０２ｂは、互いに結合することにより、バンド部１０１を環状の形態とする。これら結合部１０２ａ、１０２ｂが一旦結合した後は、いわゆるラチェット（Ｒａｔｃｈｅｔ）等の機構により取り外しが不可能となる。つまり、結合部１０２ａの穴に結合部１０２ｂが挿入されることにより、結合部１０２ｂの爪と結合部１０２ａの穴とが結合する。導電部１０３は、結合部１０２ａ、１０２ｂが結合することによってバンド部１０１と同様に環状となり、バンド部１０１の両端部の一方側に位置する接続部（第１の接続部）と、その他方側に位置する接続部（第２の接続部）と、が電気的に接続される。導電部１０３は、これらの接続部が接続されたときに、バンド部１０１の長手方向に沿って延在する通電可能な回路（以下、「通電回路」ともいう）を形成する。導電部１０３は、例えば、銅線または銅箔等によって形成することができる。また導電部１０３は、後述するように、バンド部１０１上に導電性インクにより記録されたものでもよい。
【００１３】
バンド部１０１に備わる電源部１０４は、電極間に電位差を生じさせるものであり、例えば、電池（Ｂａｔｔｅｒｙ）である。また電源部１０４は、外部から電磁誘導またはマイクロ波等によって供給された電力をコンデンサー（Ｃｏｎｄｅｎｓｅｒ）またはキャパシター（Ｃａｐａｃｉｔｏｒ）に蓄えるものでもあってもよい。バンド部１０１に備わる不揮発性メモリ部１０５は、例えば、フラッシュメモリー（Ｆｌａｓｈ  Ｍｅｍｏｒｙ）である。また、コンデンサー（Ｃｏｎｄｅｎｓｅｒ）等により必要な期間の電力が確保できる場合には、ＲＡＭ（Ｒａｎｄｏｍ  Ａｃｃｅｓｓ  Ｍｅｍｏｒｙ）等も利用できる。バンド部１０１に備わる電子タグ部１０６は、ＩＣ（Ｉｎｔｅｇｒａｔｅｄ  Ｃｉｒｃｕｉｔ）チップとして構成されており、図１（ｂ）のように、制御回路１０６Ａ、インターフェース１０６Ｂ、およびアンテナ１０６Ｃを含む。本例においては、不揮発性メモリ部１０５もＩＣチップに組み込まれている。アンテナ１０６Ｃは、図１（ｂ）のタグリーダ３０２など外部機器から発信される電磁波を受信すると共に、不揮発性メモリ部１０５の記憶情報を外部機器に送信する。不揮発性メモリ部１０５は、バンド型電子タグ１００の識別情報（ＩＤ）、および導電部１０３によって形成される通電回路の電気な特性の変化に関する情報などを外部から読み取り可能に記憶する。制御回路１０６Ａは、アンテナ１０６Ｃから無線により、不揮発性メモリ部１０５の記憶情報（識別信号（ＩＤ）およびその他の情報）をタグリーダ３０２など外部機器に送信可能な送信部としての機能をもつ。また制御回路１０６Ａは、不揮発性メモリ部１０５の記憶情報の読み出し／書き込み機能をもつ。さらに制御回路１０６Ａは、導電部１０３によって形成される通電回路が通電可能な状態から通電不可能に遮断された状態になったことを検出する検出部としての機能をもち、後述するように、その検出結果が不揮発性メモリ部１０５に記憶される。タグリーダ３０２は、アンテナ３０２Ａとインターフェース３０２Ｂを含む。
【００１４】
導通電可能な通電回路が導電部１０３によって形成されているか否かは、導電部１０３上の任意の２点間の電位差を計測して判定する。その計測を行いやすくするため、任意の２点間に、いわゆるシャント抵抗（Ｓｈｕｎｔ  Ｒｅｓｉｓｔａｎｃｅ）を挿入してもよい。また、結合部１０２ａ、１０２ｂが結合したためではなく、導電部１０３の両端子、または導電部１０３の剥き出し部分が瞬間的に接触したときに、誤って、通電回路が通電可能に形成されていると検知されないようにする。そのために、例えば、導電部１０３上のいずれかの箇所に、いわゆるソフトスタート回路（Ｓｏｆｔ  Ｓｔａｒｔ  Ｃｉｒｃｕｉｔ）を挿入して、電位の立ち上がりをなだらかにする。また、電源部１０４、不揮発性メモリ部１０５、および電子タグ部１０６は、タグチップとして一体に構成してもよい。また、図１（ｂ）のように、電子タグ部１０６がタグリーダ３０２を介して外部のシステムサーバ３０４等と随時通信可能な状況にある場合には、そのシステムサーバ３０４等が不揮発性メモリ部１０５または電子タグ部１０６の一部の機能を担うことができる。システムサーバ３０４は、ＲＯＭ、ＲＡＭ、およびＨＤＤなどを含む。
【００１５】
図２は、結合部１０２ａ、１０２ｂが結合してバンド部１０１が環状の形態となった後に、そのバンド部１０１が切り離されたことを外部機器によって読み取るための一連の処理を説明するためのフローチャートである。
【００１６】
本例のバンド型電子タグ１００は、結合部１０２ａ、１０２ｂが互いに結合していない状態（バンド部１０１が環状になっていない状態）で出荷される。このとき、不揮発性メモリ部１０５は初期状態にあり（ステップＳ１）、このときの記憶状態を「００」とする。結合部１０２ａ、１０２ｂが互いに結合して、バンド部１０１が環状となったときに、導電部１０３により通電回路が通電可能に形成されて、その導電部１０３上の任意の２点間に電位差が生じる。電子タグ部１０６の制御回路１０６Ａは、その電位差を検知したときに不揮発性メモリ部１０５の記憶状態をチェックする（ステップＳ２，Ｓ３）。その記憶状態が初期状態「００」でないときは、後述するステップＳ７に移行する。一方、その記憶状態が初期状態「００」のときは、通電回路が初めて通電可能に形成されたことを意味するため、制御回路１０６Ａは、それに対応する情報を不揮発性メモリ部１０５に書き込んでから（ステップＳ４）、後述するステップＳ７に移行する。ステップＳ４にて情報が書き込まれた不揮発性メモリ部１０５の記憶状態を「０１」とする。
【００１７】
制御回路１０６Ａは、導電部１０３上の任意の２点間に電位差を検知しない場合にも不揮発性メモリ部１０５の記憶状態をチェックする（ステップＳ５）。その記憶状態が初期状態「００」のときには、後述するステップＳ７に移行し、その記憶状態が初期状態「００」でなかったときは、ステップＳ６に移行する。その記憶状態が初期状態「００」でなかったことは、通電回路が通電可能に形成されて記憶状態が「０１」となった後に、それが通電不可能に遮断された状態と変化したことを意味する。制御回路１０６Ａは、このような通電回路の電気な特性の変化に関する情報を不揮発性メモリ部１０５に書き込み（ステップＳ６）、その後、後述するステップＳ７に移行する。ステップＳ６においては、不揮発性メモリ部１０５の記憶状態を「１１」とする。
【００１８】
制御回路１０６Ａは、ステップＳ７において、電子タグ部１０６のアンテナ１０６Cが外部機器（タグリーダ３０２など）から発信される電磁波を受信したか否かを判定する（ステップＳ７）。その電磁波が受信されたときに、制御回路１０６Ａは、識別信号（ＩＤ）およびその他の情報と共に、不揮発性メモリ部１０５の記憶状態に関する情報を外部機器（タグリーダ３０２など）に送信する（ステップＳ８）。その後、バンド型電子タグ１００の破棄などの終了処理がなされたことを条件として（ステップＳ９）、一連の処理を終了する。そのような終了処理がなされていなときは、先のステップＳ２に戻る。
【００１９】
このように、バンド部１０１がユーザの手首に適切に装着されて環状となったときに、通電回路が通電可能に形成されて、不揮発性メモリ部１０５の記憶状態が所期状態の「００」から「０１」となる（ステップＳ４）。その後、例えば、バンド部１０１の切断などによって、通電回路が通電不可能に遮断された状態となったときに、不揮発性メモリ部１０５の記憶状態が「０１」から「１１」となる（ステップＳ６）。つまり、バンド部１０１がユーザの手首に適切に装着された後に、そのバンド部１０１のユーザの手首から外されたときに、不揮発性メモリ部１０５の記憶状態が「１１」となる。不揮発性メモリ部１０５の記憶状態が「１１」となること避けて、バンド部１０１をユーザの手首から外すことはできない。したがって、そのような記憶状態の「１１」に対応する情報を外部機器（タグリーダ３０２など）が受信した場合、その不揮発性メモリ部１０５が備わるバンド型電子タグ１００は、一旦、ユーザの手首に装着されてから、外されたものであると判定できる。
【００２０】
図３は、バンド型電子タグ１００を用いる入退場管理システムの説明図である。
【００２１】
図３において、種々の施設の場外Ｓ１と場内Ｓ２との間には入退場ゲート３０３が設置されている。そのゲート３０３にはタグリーダ３０２が備えられており、そのタグリーダ３０２は、図１（ｂ）のようにインターネットを介してシステムサーバ３０４に接続されている。本例の場合、ユーザＵは、入場チケットとしてのバンド型電子タグ１００を予め入手しているものとする。バンド型電子タグ１００のそれぞれは固有の識別ＩＤを有しており、システムサーバ３０４により、入場可能エリアおよび座席番号等の情報と、識別ＩＤと、が対応付けられ管理されている。また、入場可能エリアおよび座席番号等の情報は、バンド型電子タグ１００上に、ユーザＵ等が視認可能なように記録されている。
【００２２】
ユーザＵは、入場前に、場外Ｓ１においてバンド型電子タグ１００を手首に装着する。係員Ｐは、バンド型電子タグ１００のバンド部１０１がユーザＵの手首に緩みなく適切に装着されていることを確認する。ネットワークカメラ３０６等の撮像によって、バンド型電子タグ１００の装着を確認してもよい。タグリーダ３０２は、ユーザＵがゲート３０３を通過するときに、バンド型電子タグ１００の識別信号（ＩＤ）および不揮発性メモリ部１０５の記憶情報を読み取る。例えば、バンド部１０１の結合部１０２ａ、１０２ｂが結合していないために、バンド部１０１が適切に装着されていない場合には、不揮発性メモリ部１０５の記憶情報は、初期状態の「００」のままであって、「０１」とはならない。このような場合には、システムサーバ３０４（図１（ｂ）参照）の制御下において、ゲート管理装置３０５（図１（ｂ）参照）がゲート３０３のフラップを閉じたり、係員Ｐの注意を喚起したりする。これにより、バンド部１０１が適切に装着されていないまま、ユーザＵが入場することが防止できる。システムサーバ３０４は、タグリーダ３０２によって読み込まれたバンド型電子タグ１００の識別信号（ＩＤ）および不揮発性メモリ部１０５の記憶情報に基づいて、ゲート管理装置３０５およびネットワークカメラ３０６等を制御する。
【００２３】
また、タグリーダ３０２を搭載したハンディ・ターミナル等の携帯型の機器を用いることもできる。例えば、場内Ｓ２の観客席等において、このような携帯型の機器を用いて、バンド型電子タグ１００の不揮発性メモリ部１０５の記憶情報が「１１」となっているか否かをチェックする。その記憶情報が「１１」となっているときは、観客席にいる者は、その観客席のチケットとしてのバンド型電子タグ１００の本来の購入者でない者であると推定して、その者に対して退去要請などの対応が可能となる。
【００２４】
さらに、場内Ｓ２における飲食および物販等の決済にバンド型電子タグ１００が利用できる場合には、その精算時等に、不揮発性メモリ部１０５の記憶情報をチェックすることもできる。その記憶情報が「１１」となっているときには、例えば、遺棄された他人のチケットとしてのバンド型電子タグ１００を使用していると推定して、決済を制限することができる。
【００２５】
このように、本例のバンド型電子タグを用いる入退場管理システムは、非接触により入退場者を管理しつつ、バンド型電子タグの不正な再使用（最初に装着したユーザ以外の者の使用等）を検知して、適切に対応することができる。
【００２６】
（第２の実施形態）
図４は、本実施形態におけるバンド型電子タグ１００の説明図である。本例のバンド型電子タグ１００には、LＥＤ（Ｌｉｇｈｔ  Ｅｍｉｔｔｉｎｇ  Ｄｉｏｄｅ）やＥＬ（Ｅｌｅｃｔｒｏｌｕｍｉｎｅｓｃｅｎｃｅ）等の発光素子１０７が備えられている。この発光素子１０７は導電部１０３中に介在されており、バンド部１０１の結合部１０２ａ、１０２ｂが結合して通電回路が通電可能に形成されることにより、発光素子１０７を発光させることができる。
【００２７】
このように、バンド部１０１の結合部１０２ａ、１０２ｂが結合して、チケットとしてのバンド型電子タグ１００が有効となったとき、例えば、入退場ゲート３０３の通過が可能となったときに、発光素子１０７を発光させることができる。このような発光素子１０７の発光により、バンド型電子タグ１００が有効となったことをユーザＵおよび係員Ｐ等に知らせることができる。
【００２８】
また、発光素子１０７を電子タグ部１０６に接続し、その発光素子１０７の発光タイミングを制御回路１０６Ａによって制御してもよい。例えば、バンド部１０１の結合部１０２ａ、１０２ｂが結合して通電回路が通電可能に形成されたことを前提として、発光素子１０７を一定時間だけ発光させること、または発光素子１０７の発光量を変化させることが可能である。また、導電部１０３とは別に、発光素子１０７に対応する発光素子用導電部を備え、バンド部１０１の結合部１０２ａ、１０２ｂが結合したときに、導電部１０３と同様に、発光素子用導電部が発光素子用の通電回路を形成するように構成してもよい。
【００２９】
（第３の実施形態）
本実施形態のバンド型電子タグ１００においては、導電部１０３の少なくとも一部を導電性インクにより形成する。
【００３０】
導電性インクは、銀または炭素などの導電性の粒子、または導電性化合物を含有したインクであり、それが塗布された部分は導電性をもつことになる。導電性の粒子の径が十分に微小であれば、その粒子を含有したインクを記録装置における記録ヘッドのノズルから吐出させて、いわゆるインクジェット方式により記録することができる。したがって、導電性インクをノズルから吐出する記録ヘッドを用いて、バンド部１０１に導電性インクを付与することにより、導電部１０３を形成することができる。その場合、染料インクまたは顔料インクなどの通常のインクを吐出する記録ヘッドを用いて、バンド部１０１に座席番号などを記録すると同時に、または、その前後において連続的に、導電性インクによって導電部１０３の少なくとも一部を記録することができる。これにより、製造コストおよび工数が低減できる。また、必要に応じて、このような導電部１０３および座席番号などの記録と同時または連続して、座席番号などの情報を不揮発性メモリ部１０５に記憶してもよい。
【００３１】
また、導電性インクによりバンド部１０１上に電気回路を形成することにより、入場チケットとしてのバンド型電子タグ１００の機能を高めることもできる。例えば、複数の発光素子が組み込まれたバンド部１０１に対して、チケットとしてのバンド型電子タグ１００の種類毎に、複数の発光素子に対する配線の組み合わせが異なる回路を記録してもよい。これにより、チケットとしてのバンド型電子タグ１００の種類毎に、複数の発光素子の発光パターン（発光色、および発光の組み合わせにより表わされる模様など）を異ならせることができる。
【００３２】
図５は、本実施形態にけるバンド型電子タグ１００の具体的な構成例の説明図である。
【００３３】
図５（ａ）は、バンド部１０１上に導電部１０３および電気回路が記録される前のバンド型電子タグ１００の平面図である。このバンド型電子タグ１００のバンド部１０１には、電源部１０４、および電子タグ部１０６と不揮発性メモリ部１０５とを含むタグチップと共に、発光色が異なる複数の発光素子としてのＬＥＤ４０７が備えられている。図５（ｂ）は、導電性インクによって、バンド部１０１上に、導電部１０３と電気回路４０８が記録されたバンド型電子タグ１００の一例の平面図である。図５（ｂ）の例においては、複数のＬＥＤ４０７の内、発光色が緑色のＬＥＤのみが導電部１０３に接続されるように電気回路４０８が記録されており、通電回路が通電可能に形成された状態において緑色のＬＥＤが発光可能となる。したがって、バンド部１０１を全体的に緑色とすることができる。図５（ｃ）は、導電性インクによって、バンド部１０１上に、導電部１０３と電気回路４０８が記録されたバンド型電子タグ１００の他の例の平面図である。図５（ｃ）の例における電気回路４０８のパターンは、図５（ｂ）の電気回路４０８とは異なる。図５（ｃ）の例においては、複数のＬＥＤ４０７の内、赤色のＬＥＤのみが導電部１０３に接続されるように電気回路４０８が記録されており、通電回路が通電可能に形成された状態においては赤色のＬＥＤが発光して、バンド部１０１が全体的に赤色となる。
【００３４】
本実施形態におけるバンド型電子タグ１００は、記録プロセスにより導電部１０３を効率よく記録して、製造コストを低減することができる。また、導電部１０３と共に電気回路４０８を記録することにより、チケットとしてのバンド型電子タグ１００の種類に応じた機能を付与することができる。例えば、発光素子としてのＬＥＤの発光形態を異ならせる等、入場チケットなどとしてのバンド型電子タグ１００の機能を高めることができる。
【００３５】
（第４の実施形態）
本実施形態は、バンド型電子タグ１００に対して、導電部１０３および電気回路４０８などを記録するバンド型電子タグ用の記録装置（プリンタ）としての適用例である。
【００３６】
図６は、本実施形態におけるバンド型電子タグ用の記録装置５００の制御系のブロック図である。記録装置５００は、制御部５０１、メモリ５０２、記録部５０３、操作部５０４、ネットワーク・インターフェース部５０５、電子タグリーダ部５０６、およびスタッカ５０７を備える。制御部５０１は、記録装置５００の各部の制御を司る。メモリ５０２は、記録部５０３における記録に関する情報（記録情報）、および電子タグリーダ部５０６の読取情報などを記憶する。記録部５０３は、導電性インクなどの導電性材料によって、各種の記録媒体（バンド型電子タグ１００を含む）に画像を記録する。操作部５０４によって、記録媒体の記録部数の設定、および記録動作の開始の指示等を行う。ネットワーク・インターフェース部５０５は、ネットワークＮとの間のインターフェースを司る。電子タグリーダ部５０６は、バンド型電子タグ１００に記憶されている識別信号（ＩＤ）を非接触で読み取る。
【００３７】
図７は、記録装置５００の動作を説明するためのフローチャートである。
【００３８】
本例の記録装置５００は、操作部５０４から記録動作の開始が指示されることにより（ステップＳ１１）、スタッカ５０７に載置されたバンド型電子タグ１００の束（重なり）から、その１つを給送する（ステップＳ１２）。その給送されたバンド型電子タグ１００の識別情報（ＩＤ）は、電子タグリーダ部５０６により読み取られる（ステップＳ１３）。その識別情報は、ネットワーク・インターフェース部５０５から、ネットワークＮを介して、図１（ｂ）のシステムサーバ３０４に送信される（ステップＳ１４）。記録装置５００は、システムサーバ３０４から識別情報に対応する記録データ（座席番号および図５の電気回路４０８等の記録データ）を受信する（ステップＳ１５）。記録部５０３は、その受信した記録データに基づいて、バンド型電子タグ１００のバンド部１０１上に座席番号および電気回路４０８等を記録する（ステップＳ１６）。記録装置５００は、所定の終了条件（所定数のバンド型電子タグに対する記録の終了など）を満たすまでステップＳ１２からＳ１６の処理を繰り返し（ステップＳ１７）、その終了条件を満たしたときに一連の処理を終了する。
【００３９】
このように記録装置５００は、バンド型電子タグ１００の識別情報を読み取り、その識別情報に対応する記録データに基づいて、導電部１０３および図５の電気回路４０８と、チケット情報としての座席番号などと、を同時または連続的に記録することができる。したがって、バンド型電子タグ１００を効率的に作成することができる。また、バンド型電子タグ１００の識別情報に対応付けられたチケット情報との関係性において、ずれのない記録データに基づいて、導電部１０３および図５の電気回路４０８等を確実にかつ高精度に記録することができる。
【００４０】
（第５の実施形態）
前述したように本発明は、バンド型電子タグ１００がユーザの手首に一旦装着された後、バンド部１０１が切り離されて手首から取り外されたことを検知して、バンド型電子タグ１００の不正な再使用を防止しようとするものである。そのためには、バンド型電子タグ１００がユーザの手首に緩みなく適切に装着されることが前提となる。
【００４１】
このような観点から、本実施形態においては、バンド部１０１の少なくとも２箇所に接触センサ部を備える。接触センサ部を備える位置は、バンド型電子タグ１００がユーザの手首に装着されたときに、その手首に接するバンド部１０１の位置である。通電回路が通電可能に形成されたとき、これらの接触センサ部の全てがユーザの手首との接触を検知することを条件として、バンド型電子タグ１００の機能（チケット機能）を有効にする。具体的には、不揮発性メモリ部１０５の記憶情報を「０１」にして、チケット機能を有効化にする。
【００４２】
図８は、本実施形態におけるバンド型電子タグ１００をユーザＵの手首に装着している様態の説明図である。図８の場合、ユーザＵは、バンド型電子タグ１００を左手首に巻き、バンド部１０１のバンド長さを右手で調節しながら、結合部１０２ａ、１０２ｂを結合させようとしている。ユーザＵの手首に接するバンド部１０１の部分には、接触センサ部が複数備えられている。本例の場合は、２つの接触センサ部７０１、７０２が備えられており、それらは、結合部１０２ａ、１０２ｂとの間において、バンド部１０１を長手方向において略３等分する２つの位置のそれぞれに備えられている。接触センサ部７０１、７０２の位置、および、それらが装備されていることは、ユーザＵに対して秘密にしておいてもよい。図１（ｂ）の電子タグ部１０６の制御回路１０６Ａは、これらの接触センサ部７０１、７０２の全てがユーザＵの手首との接触を検知したことを条件として、不揮発性メモリ部１０５の記憶情報を「０１」とする。これにより、バンド型電子タグ１００の機能（チケット機能）が有効となる。
【００４３】
仮に、バンド型電子タグ１００がユーザＵの手首から取り外せるほど緩く装着された場合には、接触センサ部７０１、７０２の少なくとも１つは手首との接触を検知しない。この場合、そのバンド型電子タグ１００はチケットとして無効となるため、図３のような入退場管理システムにおいては、係員Ｐに注意を喚起して、バンド型電子タグ１００が緩く巻かれていることについての対策を講じることができる。また、バンド型電子タグ１００の不具合などにより、接触センサ部７０１、７０２の少なくとも一方が手首との接触を検知しなかった場合には、係員Ｐ等が装置を用いて、不揮発性メモリ部１０５の記憶情報を外部から「０１」に設定できるようにしてもよい。したがって、バンド型電子タグ１００を適切に装着したにも拘らず、それがチケットとして有効とならなかった場合には、係員Ｐ等によって、そのバンド型電子タグ１００の機能を有効とすることができる。
【００４４】
（他の実施形態）
バンド型電子タグにおけるメモリ部は、バンド部の長手方向に延在する通電可能な回路の電気的な特性の変化に関する情報として、例えば、その回路の抵抗値の変化に関する情報など変換などを記憶することもできる。本発明のバンド型の電子タグは、イベント、コンサート、アミューズメント施設などの入場チケットとしての利用の他、交通、物流、決済、セキュリティなどの広範囲の分野において利用することができる。
【符号の説明】
【００４５】
１００  バンド型電子タグ
１０１  バンド部
１０３  導電部
１０５  不揮発性メモリ部（メモリ部）
【図１】
2019095906.tif 000003
【図２】
2019095906.tif 000004
【図３】
2019095906.tif 000005
【図４】
2019095906.tif 000006
【図５】
2019095906.tif 000007
【図６】
2019095906.tif 000008
【図７】
2019095906.tif 000009
【図８】
2019095906.tif 000010